(57)【要約】      （修正有）【課題】リムを持たず、レンズを直接連結する、縁なしメガネを提供する。【解決手段】連結部材の両側及びヨロイには止着片７を設け、この止着片７に線材を曲げ成形して外周にツメを形成した２本の平行ピン８を有すＭ形ピン部材の連結部１１をロウ付け又は溶接し、そしてレンズ１には２個のレンズ穴１５を設けると共にこのレンズ穴１５に２本のピン８を嵌入し、連結部１７から起立する２本の樹脂ブッシュ１６をレンズ裏面からレンズ穴１５に嵌め、樹脂ブッシュ１６のブッシュ穴にピン８を嵌合している。【選択図】図４
0003161667.tif 000002
【実用新案登録請求の範囲】
【請求項１】
連結部材の両端にレンズを連結し、レンズ外側にはヨロイを取付け、そして該ヨロイには蝶番などの継手を介して折畳み出来るようにツルを取付けた縁なしメガネにおいて、上記連結部材の両側及びヨロイには止着片を設け、この止着片に線材を曲げ成形して外周にツメを形成した２本の平行ピンを有す門形ピン部材の連結部をロウ付け又は溶接し、そしてレンズには２個のレンズ穴を設けると共にこのレンズ穴に上記２本のピンを嵌入し、連結部から起立する２本の樹脂ブッシュをレンズ裏面からレンズ穴に嵌め、樹脂ブッシュのブッシュ穴に上記ピンを嵌合したことを特徴とする縁なしメガネ。
【請求項２】
連結部材の両端にレンズを連結し、レンズ外側にはヨロイを取付け、そして該ヨロイには蝶番などの継手を介して折畳み出来るようにツルを取付けた縁なしメガネにおいて、上記連結部材の両側及びヨロイには止着片を設け、この止着片に線材を曲げ成形して外周にツメを形成した２本の平行ピンを有すＭ形ピン部材の連結部をロウ付け又は溶接し、そしてレンズには２個のレンズ穴を設けると共にこのレンズ穴に上記２本のピンを嵌入し、連結部から起立する２本の樹脂ブッシュをレンズ裏面からレンズ穴に嵌め、樹脂ブッシュのブッシュ穴に上記ピンを嵌合したことを特徴とする縁なしメガネ。
【請求項３】
上記Ｍ形ピン部材のコーナーとレンズ表面との間に隙間を形成した請求項２記載の縁なしメガネ。
【考案の詳細な説明】
【技術分野】
【０００１】
本考案はリムを持たないでレンズを直接連結して構成される縁なしメガネに関するものである。
【背景技術】
【０００２】
図５は従来の一般的な縁なしメガネを示している具体例である。両レンズ(イ)、(イ)は連結部材(ロ)によってネジ止めされ、レンズ(イ)、(イ)の外側にはヨロイ(ハ)、(ハ)がネジ止めにて取着されている。そして、このヨロイ(ハ)には継手部を介してツル(ニ)が折畳み出来るように取付けされ、さらにレンズ(イ)の内側には上記連結部材(ロ)から延びる脚先端に鼻当てパット(ホ)が設けられている。
【０００３】
ところで、両レンズ(イ)、(イ)は連結部材(ロ)にてネジ止めされ、同じくヨロイ(ハ)はレンズ外側にネジ止めされているが、１本のネジでレンズ(イ)と連結固定する場合、ネジを中心として回転しない構造としなければならない。そこで、縁なしメガネではレンズの外周に当接する当り片(ヘ)を連結部材(ロ)並びにヨロイ(ハ)に設けることで、レンズの回転を阻止してガタ付かない構造が採用されている。
【０００４】
このように、両レンズ(イ)、(イ)を連結部材(ロ)の両サイドから延びる止着片（ト）、（ト）にネジ止めし、レンズ外側にはヨロイ(ハ)、(ハ)から延びる止着片（ト）をネジ止めし、そしてレンズ回転を阻止する為に当り片（ヘ）を設けてレンズ外周に当接した構造としている。しかし、縁なしメガネではレンズ回転を防止する為に該当り片（ヘ）ではなく、レンズに２個の穴を設けると共に２本のピンを止着片（ト）に起立して該穴に嵌めた連結構造とする場合もある。
【０００５】
図６はヨロイ（ハ）の止着片（ト）に２本のピン（チ）、（チ）を起立して設けている場合を示している。そして、これら２本のピン（チ）、（チ）はレンズ（イ）に設けた穴（リ）、（リ）に嵌入し、レンズ裏面側からは連結部（ル）から垂直に起立する２本の樹脂ブッシュ（ヌ）、（ヌ）が嵌ってピン（チ）、（チ）は樹脂ブッシュ（ヌ）、（ヌ）に形成したブッシュ穴に嵌合して固定される。該ピン（チ）、（チ）の外周には小さいツメが形成されていて、ブッシュ穴にツメ（チ）、（チ）・・・がくい込んでピン（チ）、（チ）は抜けないように固定される。図７はレンズ（イ）と止着片（ト）の連結構造を示す展開図である。
【０００６】
ここで、２本のピン（チ）、（チ）は止着片（ト）にロウ付けされるが、２本のピン（チ）、（チ）は止着片（ト）に対して垂直であると共に互いに平行でなくてはならず、しかもその間隔をブッシュ穴に嵌るように一定寸法でロウ付けされなくてはならないが、このロウ付け作業は容易ではない。
【０００７】
また、縁なしメガネはレンズ周りにリムが存在せず、その分だけ視界は広くなると共に、フロント部にリムが存在せずレンズのみで構成することが縁なしメガネの特徴でもある。その為に、ヨロイ（ハ）及びその止着片（ト）、そして連結部材（ロ）及びその止着片（ト）は出来る限り細い部材で構成する方が好ましい。しかし、止着片（ト）に２本のピン（チ）、（チ）をロウ付けする場合、その止着片（ト）は少なくともピン（チ）より太い部材と成ってしまう。
【考案の開示】
【考案が解決しようとする課題】
【０００８】
このように、レンズが嵌るリムを有しない縁なしメガネの形態は色々存在している。本考案はピンを起立する止着片の太さを細くして視界を広げると共に、縁なしメガネの外観を向上した縁なしメガネを提供する。又、レンズと連結する止着片から起立するピンの取付け作業を容易にすると共に、対を成す２本のピンが高い精度で止着片から起立する縁なしメガネを提供する。
【課題を解決するための手段】
【０００９】
本考案に係る縁なしメガネは、両レンズを連結部材にて連結し、レンズ外側にはヨロイを取付け、そして該ヨロイには継手を介してツルが折畳み出来るように取付けて構成され、基本的な構造は従来のものと共通する。本考案では両レンズを連結する連結部材及びレンズ外側のヨロイ、特にレンズと直接連結する止着片を細くしている。
【００１０】
そして、止着片の先端にロウ付け又は溶接されるピン部材は２本のピンを有して１本の線材を曲げ成形して製作され、門形又はＭ形として構成している。ピン先端部は従来と同じくブッシュ穴に嵌って係合することが出来るように小さいツメが形成されている。ところで、門形又はＭ形を形成したピン部材の２本のピンは連結部材及びヨロイの止着片にロウ付けなどにて固定され、レンズに設けたレンズ穴に嵌り、レンズ裏面から嵌入した樹脂ブッシュの穴に嵌合する。ここで、門形又はＭ形をしたピン部材の２本のピンは止着片に対して平行に固定される場合、又は止着片に対して垂直（止着片を間に跨いで上下）に固定する場合がある。
【考案の効果】
【００１１】
本考案の縁なしメガネは、１本の線材を曲げ成形して門形又はＭ形を形成したピン部材を有している。従って、止着片には１回のロウ付け又は溶接作業で２本のピンを有すピン部材を固定することが出来、しかも一体化して曲げ成形された２本のピンは互いに平行であり、該止着片に固定されるピンの位置決め精度は高くなり、その結果、レンズとの連結に際して無理な片当り応力は発生しない。
【００１２】
そして、門形又はＭ形をした２本のピンを有すピン部材はロウ付け又は溶接に際して、止着片に対して平行に固定したり、又は垂直（止着片を間に挟んで上下）に固定することが可能である。止着片に対して垂直方向になるように固定するならば、レンズとの連結は周辺部となり、レンズの視界をより拡大することが出来る。そして、ピン部材をＭ形に形成するならばピンをレンズ穴に嵌めた場合に基部と成るコーナー部はレンズ表面との間に隙間が出来、レンズ穴入口角に応力集中は生じることなく安定した連結構造と成る。
【図面の簡単な説明】
【００１３】
【図１】本考案の縁なしメガネの外観図。
【図２】レンズを連結する為にレンズ穴に嵌るピン。
【図３】２本のピンを有すピン部材を止着片にロウ付けした場合。
【図４】２本のピンがレンズ穴に嵌って樹脂ブッシュとでレンズを連結した断面図。
【図５】従来の縁なしメガネの外観図。
【図６】止着片に起立した２本のピン。
【図７】従来の縁なしメガネにおける止着片とレンズの連結構造を示す展開図。
【考案を実施するための形態】
【００１４】
図１は本考案に係る縁なしメガネを表している実施例である。同図の１はレンズ、２は連結部材、３はヨロイを示し、両レンズ１，１は連結部材２の両端に取着され、ヨロイ３，３はレンズ１，１の外側に取付けられている。そして、ヨロイ３，３には蝶番などの継手５，５を介してツル４，４が折畳み出来るように連結している。又、連結部材２の下方であって、レンズ１，１の内側には鼻当てパット６，６が取付けられている。
【００１５】
縁なしメガネとしての基本形態は前記図５に示している従来の縁なしメガネと共通しているが、連結部材２とレンズ１，１との連結構造、及びレンズ１とヨロイ３との連結構造が違っている。本考案では従来通り連結部材２の両側に止着片７，７を有し、ヨロイ３，３にも止着片７，７を設けており、これら各止着片７，７・・・にはそれぞれ２本のピンが起立してレンズ穴に嵌っている。
【００１６】
しかし、本考案の縁なしメガネの２本のピンは独立したものではなく、１本の線材を曲げ成形して基部は連続し、門形を成している。図２（ａ）は門形に曲げ成形した２本のピン８，８は所定の間隔をおいて互いに平行に起立し、ピン８，８の先端部にはツメ９，９・・・が周囲に形成されている。そして、両ピン８，８の基部は連結部１０によって繋がっており、全体形状は門形をしている。
【００１７】
また、図２（ｂ）に示す２本のピン８，８は所定の間隔をおいて互いに平行に起立し、ピン８，８の先端部にはツメ９，９・・・が周囲に形成され、そして、両ピン８，８の基部は連結部１１によって繋がっている点は、上記（ａ）に示すピン８，８と同じである。しかし、全体形状はＭ形をしている。すなわち連結部１１はストレートでなく、湾曲した形状と成っている。
【００１８】
本考案では図２（ａ）、（ｂ）に示す何れの場合も対象とするが、連結部１０がストレートである（ａ）のピン８，８は、基部１２，１２の曲げ成形が厳しくなり、クラックが生じる虞もある。すなわち、レンズ穴にピン８，８が嵌る際に穴入口に当らないようにコーナー１３，１３の曲率半径を小さくすることが必要となる。これに対して（ｂ）のように連結部１１を湾曲させることで基部１２，１２は比較的滑らかに（大きな曲率半径で）湾曲することが出来、その為にコーナー１３，１３にはクラックが生じにくい。
【００１９】
図３はピン部材１４をヨロイ３の止着片７にロウ付けした場合を示している。（ａ）は止着片７に対して２本のピン８，８が平行に配置され、（ｂ）の場合は２本のピン８，８が止着片７を間に跨いで配置されている。すなわち、ピン部材１４が止着片７と平行である取付け形態と止着片７に対して垂直である取付け形態の場合を表している。
【００２０】
ピン部材１４はＭ形を成して２本のピン８，８は互いに平行と成っており、両ピン８，８の間隔は一定である。このように曲げ成形されたピン部材１４はその連結部１１が止着片７にロウ付けされる。２本のピン８，８はピン部材１４として成形されているために、止着片７に対してピン部材１４を位置決めしてロウ付けするならば、各ピン８，８は所定の位置に正しく配置される。
【００２１】
図３（ａ）、（ｂ）の何れの形態にピン部材１４をロウ付けしてもよいが、（ａ）の場合にはメガネを掛ける場合のツル４，４の開閉に際して発生するモーメントとに対して強くなり、レンズ穴に発生する応力の集中を抑制することが出来る。これに対して（ｂ）の場合にはツル４，４の開閉に際して発生するモーメントに対しての強度は多少劣るが、レンズの外周に２本のピン８，８が嵌ることで視界はより良好と成る。
【００２２】
図４はピン８，８がレンズ穴１５，１５に嵌った連結構造を示す実施例である。レンズ１の外周には対を成す２個のレンズ穴１５，１５が所定の間隔（ピン８，８と同じ距離）で貫通して設けられ、このレンズ穴１５，１５に両ピン８，８が嵌る。そして、レンズ１の裏面から樹脂ブッシュ１６，１６が嵌り、ピン８，８は樹脂ブッシュ１６，１６に形成したブッシュ穴に嵌合し、ピン外周に形成したツメ９，９・・・がブッシュ穴に食い込んで抜けないように固定される。
【００２３】
２本の樹脂ブッシュ１６，１６は連結部１７にて繋がれ、該連結部１７はレンズ裏面に当接している。すなわち、連結部１７がレンズ裏面に当るまで樹脂ブッシュ１６，１６を差し込むことでブッシュ穴にピン８，８が嵌合し、抓め、９・・・がくい込むことが出来る。そして、レンズ表面１８はピン部材１８の連結部１１に当接し、レンズ１はピン８，８の連結部１１と樹脂ブッシュ１６，１６の連結部１７とで挟持されている。
【００２４】
ところで、図４に示すように、Ｍ形をしたピン部材１４を用いることで、連結部１１とピン８，８のコーナーには隙間１９，１９が形成され、レンズ穴１５，１５の入口がコーナー１３，１３に当ることはない。従って、レンズ穴１５，１５の周辺に無理な応力集中はなく、レンズ割れ又はレンズ欠けを防止する効果がある。
【００２５】
勿論、前記図２（ａ）に示す門形ピン部材１４を用いることもあり、この場合にはコーナー１３，１３にレンズ穴１５，１５の入口角が当らないように、入口にＣ面又はＲ面を形成する。勿論、ピン８，８と連結部１０のコーナー１３，１３が大きくならないように小さい曲率半径で曲げ成形されている。
【符号の説明】
【００２６】
１  レンズ
２  連結部材
３  ヨロイ
４  ツル
５  継手
６  鼻当てパット
７  止着片
８  ピン
９  ツメ
10  連結部
11  連結部
12  基部
13  コーナー
14  ピン部材
15  レンズ穴
16  樹脂ブッシュ
17  連結部
18  レンズ表面
19  隙間
【図１】
0003161667.tif 000003
【図２】
0003161667.tif 000004
【図３】
0003161667.tif 000005
【図４】
0003161667.tif 000006
【図５】
0003161667.tif 000007
【図６】
0003161667.tif 000008
【図７】
0003161667.tif 000009